(57)【特許請求の範囲】
【請求項１】
上側ケースと下側ケースをそれぞれ支持する上側フレーム及び下側フレームと、
これら上側フレーム及び下側フレームの一側縁に設けられる蝶番と、
前記上側フレーム及び下側フレームの他側縁に設けられる口金とを備える印鑑ケース用フレームであって、
前記上側フレーム及び下側フレームの互いに対向する位置に凸部と凹部を設け、上側フレームと下側フレームとを閉じた時に前記凸部と凹部とが嵌合することを特徴とする印鑑ケース用フレーム。
【請求項２】
前記凸部と凹部は、それぞれ複数個設けられていることを特徴とする請求項１記載の印鑑ケース用フレーム。
【請求項３】
前記凸部と凹部は、それぞれ前記口金近傍に配置されていることを特徴とする請求項１又は２記載の印鑑ケース用フレーム。
【発明の詳細な説明】
【技術分野】
【０００１】
本発明は、印鑑ケース用フレームに関するものであり、特に、フレーム同士の位置関係を適正に保つことができるように構成したものに関する。
【背景技術】
【０００２】
従来、印鑑ケースは、印鑑を収める下側ケースと蓋としての上側ケースを蝶番により開閉自在に連結した構造を有していた（例えば、特許文献１参照）。この印鑑ケースには、上側ケースと下側ケースを閉じた状態に保つ口金が設けられている。この口金は、上側ケースと下側ケースの開口部分にそれぞれ設けられたフレームにそれぞれ設けられた上側口金部と下側口金部からなり、上側ケースと下側ケースを閉じると、印鑑ケースの長手方向に上側口金部と下側口金部が一直線状に並ぶと共にその対面する係合面が係合するものとなっている。この口金は、上側口金部と下側口金部が押し合うように咬合することで係合した状態が保たれている。
【０００３】
上記構成からなる印鑑ケースにおいては、口金の係合を解除する際に、上側ケースと下側ケースの長手方向にわずかではあるが負荷がかかる。このため、長期間使用すると、上側ケースと下側ケースとを連結する蝶番部分にガタが発生することがある。このように蝶番部分にガタが生じると、上側口金部と下側口金部が十分に押し合って咬合することができなくなり、外れ易くなるという問題があった。特に、フレーム、口金及び蝶番部分が型成形などで一体に形成してある場合には、口金の咬合の調整が難しくなるため、より一層、ガタの影響を受け易くなることがあった。
【先行技術文献】
【特許文献】
【０００４】
【特許文献１】特開平０９−１０９５３６号公報
【発明の概要】
【発明が解決しようとする課題】
【０００５】
本発明が解決しようとする課題は、上記従来技術の問題点を解決し、フレーム同士の位置関係を規制することでフレームのガタ付きを防ぐと共に、口金の係合を確実なものにすることにある。
【課題を解決するための手段】
【０００６】
本発明の印鑑ケース用フレームは、上側ケースと下側ケースをそれぞれ支持する上側フレーム及び下側フレームと、これら上側フレーム及び下側フレームの一側縁に設けられる蝶番と、前記上側フレーム及び下側フレームの他側縁に設けられる口金とを備える印鑑ケース用フレームであって、前記上側フレーム及び下側フレームの互いに対向する位置に凸部と凹部を設け、上側フレームと下側フレームとを閉じた時に凸部と凹部が嵌合することにより、前記上側フレームと下側フレームの位置関係を規制し、ガタ付きを防止するものである。
【０００７】
この印鑑ケース用フレームにおける前記凸部と凹部は、それぞれ複数個設けられている。また、前記凸部と凹部は、それぞれ前記口金近傍に配置されている。
【発明の効果】
【０００８】
本発明の印鑑ケース用フレームは、その上側フレームと下側フレームの互いに対向する位置に凸部と凹部を備えている。この凸部と凹部は、上側フレームと下側フレームを閉じると嵌合して、上側フレームと下側フレームの位置を規制することでそれらのガタ付きを防止する。特に、この凸部と凹部が嵌合すると、上側フレームと下側フレームが印鑑ケースの長手方向にずれ動くことを防ぐことができる。これにより、印鑑ケースの口金部分にガタが発生し難く、上側フレームと下側フレームとの位置関係を常に正しい状態に保つことができ、またフレームに設けられた口金の係合が外れ易くなることを防ぐことができる。
【０００９】
また、凸部と凹部は、複数設けられており、より確実に上側フレームと下側フレームの位置を規制することができる。
【００１０】
また、凸部と凹部は口金近傍に配置されており、口金が嵌合して上側フレームと下側フレームの境目部分に被ることにより、その口金の下に隠れて境目の隙間から見えることがない。
【図面の簡単な説明】
【００１１】
【図１】本発明の一実施例に係る印鑑ケース用フレームを示す斜視図である。
【図２】図１に示すフレームの上側口金付近を示す要部拡大斜視図である。
【図３】図１に示すフレームの下側口金付近を示す要部拡大斜視図である。
【図４】図１に示す上側フレームと下側フレームを閉じたときの口金付近を示す拡大正面図である。
【図５】図４に示すフレームのＡ−Ａ断面拡大部分図である。
【図６】図４に示すフレームのＢ−Ｂ断面拡大部分図である。
【図７】図４等に示す凹部の変更例を示す断面図である。
【発明を実施するための形態】
【００１２】
本発明の印鑑ケース用フレームは、上側フレームと下側フレームをその一側縁に設けられる蝶番で連結し、他側縁に設けられる口金によって閉状態に保持する構造になっている。この印鑑ケース用フレームにおいては、上側フレームと下側フレームの互いに対向する位置に凸部と凹部を設けている。この凸部と凹部は、上側フレームと下側フレームを閉じると嵌合し、上側フレームと下側フレームの位置関係を適正状態に保つ。これにより、上側フレームと下側フレームとが長手方向で互いにずれ動くことを防ぎ、口金が外れ易くなることを防いでいる。
【実施例】
【００１３】
図１は本発明の一実施例に係る印鑑ケース用フレームを示す斜視図、図２及び図３はその要部拡大斜視図、図４は上側フレームと下側フレームを閉じたときの口金付近を示す拡大正面図、図５及び図６はそのＡ−Ａ断面拡大部分図とＢ−Ｂ断面拡大部分図である。１はフレームであり、上側フレーム２と下側フレーム３を有している。この上側フレーム２と下側フレーム３は、かまぼこ形をなす上側ケース４と下側ケース５の各対向面の縁に固定され、上側ケース４と下側ケース５をそれぞれ支持している。
【００１４】
この上側フレーム２と下側フレーム３の一側縁には蝶番６が設けられており、この蝶番６により上側フレーム２と下側フレーム３は開閉自在な状態で連結されている。
【００１５】
また、上側フレーム２と下側フレーム３の他側縁には、口金７が設けられている。この口金７は、上側フレーム２にロー付け又は型成形などで一体に形成された上側口金部７ａと、下側フレーム３にロー付け又は一体に形成された下側口金部７ｂとから構成されている。この上側口金部７ａと下側口金部７ｂは円柱形をなし、上側フレーム２と下側フレーム３を閉じると対面して係合する部分に略半球状に突出する突出部７ｃとそれに適合する凹曲部７ｄが設けられている。また、本実施例における上側口金部７ａと下側口金部７ｂは、その係合する係合面７ｅ，７ｆが開閉方向に対して傾斜しており、互いにその傾斜に沿って咬合することで、上側口金部７ａと下側口金部７ｂとが係合する。
【００１６】
符号８，９は上側フレーム２と下側フレーム３にそれぞれ設けられた凸部であり、１０，１１は凸部８，９に対向するように下側フレーム３と上側フレーム２にそれぞれ設けられた凹部である。凸部８，９は略角柱状をなし、凹部１０，１１は凸部８，９の形状に適合する略角形に窪んだものとなっている。また、本実施例における凹部１０，１１は、下側フレーム３と上側フレーム２の外側縁が開口した切欠によって形成されている。
【００１７】
また、凸部８，９はそれぞれ上側口金部７ａと下側口金部７ｂの近傍に配置されており、凹部１０，１１は上側フレーム２と下側フレーム３を閉じたときにそれぞれ上側口金部７ａと下側口金部７ｂの近傍に位置するように配置されている。
【００１８】
上記構成からなる印鑑ケース用フレーム１において、上側フレーム２と下側フレーム３を閉じると、図４に示すように、上側口金部７ａと下側口金部７ｂとが係合する。その際同時に、図５に示すように、上側フレーム２の凸部８と下側フレーム３の凹部１０とが嵌合し、また下側フレーム３の凸部９と上側フレーム２の凹部１１とが嵌合する。このように、一対の凸部８，９と凹部１０，１１がフレームの長手方向の２箇所でそれぞれ嵌合することにより、上側フレーム２と下側フレーム３とは長手方向で相互の動きが規制されることになる。そのため、上側フレーム２と下側フレーム３との長手方向での位置ずれやガタ付きなどを効果的に防ぐことができ、常に正しい位置でフレーム同士を閉じた状態に保つことができる。また、上側口金部７ａと下側口金部７ｂも常に正しい位置関係で係合することになる。
【００１９】
上記のように、凸部８，９と凹部１０，１１の嵌合によって上側フレーム２と下側フレーム３の位置関係を規制することにより、蝶番６や口金７付近にガタが生じたとしても、そのガタによる上側フレーム２と下側フレーム３の長手方向へのずれ動きを阻止することができる。このため、図４に示すように、上側フレーム２と下側フレーム３の長手方向（図４中左右方向）でのずれ動きによって、上側口金部７ａと下側口金部７ｂの係合が外れ易くなるのを防ぐことができる。
【００２０】
上記のようにフレーム同士のガタ付きの発生が原因となる口金７の外れ易さを防ぐことができるので、口金７をフレーム１に一体形成した場合のように、口金７の位置調整ができず口金７の係合状態の調整が難しい構造であっても、口金７が適正な状態で係合するように構成することができる。
【００２１】
また、凸部８，９と凹部１０，１１はそれぞれ上側口金部７ａと下側口金部７ｂの近傍に配置されているため、図４に示すように、上側口金部７ａと下側口金部７ｂとを係合すると、その背後に隠れて見えなくなる。このため、凹部１０，１１が図６等に示すように、上側フレーム２と下側フレーム３の外側面方向に開口する切欠であっても、上側口金部７ａと下側口金部７ｂによってその開口部分が隠れて、外観品質が低下することを防ぐことができる。
【００２２】
また、凹部１０，１１は、上記のように切欠によって形成されているが、図７に示すように、上側フレーム２と下側フレーム３の外側面方向に開口していない窪みで形成されているものであっても良い。この場合には、口金７で凹部１０，１１を隠す必要がないので、フレーム１のどの部分にでも配置することができる。
【００２３】
また、凸部８，９と凹部１０，１１は、前述したように、口金７の近傍に配置することが好ましいが、口金７の近傍以外の位置に配置しても良い。
【００２４】
更に、本実施例においては、凸部８，９と凹部１０，１１をそれぞれ２つずつ（２対）互い違いになるように設けているが、その数を１つずつ（１対）にしたり、あるいは多数に増やしたり、上側フレーム２に凸部８，９をまとめて形成し下側フレーム３に凹部１０，１１をまとめて形成する等凸部と凹部をそれぞれまとめて形成することも可能である。
に対応している。
【符号の説明】
【００２５】
１    フレーム
２    上側フレーム
３    下側フレーム
４    上側ケース
５    下側ケース
６    蝶番
７    口金
７ａ  上側口金部
７ｂ  下側口金部
７ｃ  突出部
７ｄ  凹曲部
７ｅ、７ｆ  係合面
８，９      凸部
１０，１１  凹部
【図１】
0005444056.tif 000002
【図２】
0005444056.tif 000003
【図３】
0005444056.tif 000004
【図４】
0005444056.tif 000005
【図５】
0005444056.tif 000006
【図６】
0005444056.tif 000007
【図７】
0005444056.tif 000008